(57)【要約】【課題】低コストで臥床者の体圧を分散可能で、臥床者に応じてセルの高さを簡単に調整可能なセル高さ調整器具を提供することを課題とする。【解決手段】セル高さ調整器具２は、臥床者Ｍを下側から支持し、流体を流入させることにより膨張する複数のセル３００を有するセルユニット３０を備えるマットレス３の、一部のセル３００に環装される筒部２０を備え、セル３００の膨張を筒部２０が規制することにより、筒部２０が環装されたセル３００の上面の高さを、筒部２０が環装されないセル３００の上面の高さよりも、低く設定することを特徴とする。【選択図】図２
2012066025.tif 000002
【特許請求の範囲】
【請求項１】
臥床者を下側から支持し、流体を流入させることにより膨張する複数のセルを有するセルユニットを備えるマットレスの、一部の該セルに環装される筒部を備え、
該セルの膨張を該筒部が規制することにより、該筒部が環装された該セルの上面の高さを、該筒部が環装されない該セルの上面の高さよりも、低く設定するセル高さ調整器具。
【請求項２】
前記筒部は、帯状の展開状態と、前記セルに巻装される筒状の巻装状態と、に切り替え可能な帯部であり、
該巻装状態において該セルの膨張を該帯部が規制することにより、該帯部が巻装された該セルの上面の高さを、該帯部が巻装されない該セルの上面の高さよりも、低く設定する請求項１に記載のセル高さ調整器具。
【請求項３】
さらに、前記帯部に配置され、前記巻装状態における該帯部の周長を表示する目盛部を備える請求項２に記載のセル高さ調整器具。
【請求項４】
さらに、前記帯部に配置され、前記巻装状態を保持する係合部を備える請求項２または請求項３に記載のセル高さ調整器具。
【請求項５】
前記筒部は、単一の前記セルに巻装される請求項１ないし請求項４のいずれかに記載のセル高さ調整器具。
【請求項６】
前記筒部は、複数の前記セルを括って巻装される請求項１ないし請求項４のいずれかに記載のセル高さ調整器具。
【請求項７】
前記セルのうち前記筒部が環装された領域は、該筒部の周方向に対して直交する筒軸方向に沿って、高さが一定でない請求項１ないし請求項６のいずれかに記載のセル高さ調整器具。
【請求項８】
請求項１ないし請求項７のいずれかに記載のセル高さ調整器具と、
臥床者を下側から支持し、流体を流入させることにより膨張する複数のセルを有するセルユニットを備えるマットレスと、
を備え、
該セル高さ調整器具の筒部は、一部の該セルに環装され、
該セルの膨張を該筒部が規制することにより、該筒部が環装された該セルの上面の高さを、該筒部が環装されない該セルの上面の高さよりも、低く設定する床ずれ抑制寝具。
【発明の詳細な説明】
【技術分野】
【０００１】
本発明は、マットレスのセルに取り付けられ、セルの高さを調整するセル高さ調整器具および床ずれ抑制寝具に関する。
【背景技術】
【０００２】
臥床者がベッドのマットレスに寝る際、肩、背中、腰、臀部、踵部など（以下、適宜、「突出部」と総称する。）は、下側に突出している。これに対して、マットレスの上面は、略平面状を呈している。このため、臥床者の体と、マットレスと、の間に隙間が発生してしまう。したがって、体の突出部に、体圧が集中してしまう。体圧集中は、床ずれの原因となる。
【０００３】
この点に鑑み、特許文献１には、二種類のエアセルを備えるマットが開示されている。同文献記載のマットによると、マットのうち、臥床者の体の床ずれ発生の多い箇所に接触する部分には、扁平角筒状のエアセルが配置されている。これに対して、臥床者の体の床ずれ発生の少ない箇所に接触する部分には、円筒状のエアセルが配置されている。このため、床ずれ発生の多い箇所に体圧が集中するのを、抑制することができる。
【０００４】
また、特許文献２には、マット本体の厚さが一定でないマットが開示されている。同文献記載のマットによると、マット本体のうち、臥床者の背中に接触する部分の厚さが、臥床者の臀部に接触する部分の厚さよりも、厚く設定されている。このため、臀部に体圧が集中するのを、抑制することができる。
【先行技術文献】
【特許文献】
【０００５】
【特許文献１】特開平９−２８７４０号公報
【特許文献２】特開２００２−１１９３８２号公報
【発明の概要】
【発明が解決しようとする課題】
【０００６】
しかしながら、特許文献１のマットの場合、専用の二種類のエアセルが必要になる。このため、導入コストが高くなる。また、臥床者の体格や寝姿（仰向け、うつ伏せ、横寝など）などによっては、臥床者の体の突出部と、扁平角筒状のエアセルが配置されている領域と、が対応しない場合がある。
【０００７】
また、特許文献２のマットの場合、マット本体の厚さを緻密に作り込む必要がある。このため、特許文献１のマット同様に、導入コストが高くなる。また、臥床者の体格や寝姿などによっては、臥床者の体の突出部と、マット本体の厚さが薄い領域と、が対応しない場合がある。
【０００８】
本発明のセル高さ調整器具および床ずれ抑制寝具は、上記課題に鑑みて完成されたものである。本発明は、低コストで臥床者の体圧を分散可能で、臥床者に応じてセルの高さを簡単に調整可能なセル高さ調整器具および床ずれ抑制寝具を提供することを目的とする。
【課題を解決するための手段】
【０００９】
（１）上記課題を解決するため、本発明のセル高さ調整器具は、臥床者を下側から支持し、流体を流入させることにより膨張する複数のセルを有するセルユニットを備えるマットレスの、一部の該セルに環装される筒部を備え、該セルの膨張を該筒部が規制することにより、該筒部が環装された該セルの上面の高さを、該筒部が環装されない該セルの上面の高さよりも、低く設定することを特徴とする。
【００１０】
セル高さ調整器具は、膨張可能なセルに取り付けられる。セル高さ調整器具が取り付けられているセルは、セル高さ調整器具が取り付けられていないセルと比較して、膨張しにくい。このため、セル高さ調整器具が取り付けられているセルの方が、セル高さ調整器具が取り付けられていないセルよりも、上面の高さが低くなる。したがって、マットレスの上面に、複数のセルの並置方向に沿って、凹凸が形成される。当該凹凸のうち、凹部を、臥床者の体の突出部に、対応させることにより、臥床者の体の突出部に体圧が集中するのを抑制することができる。
【００１１】
このように、本発明のセル高さ調整器具を用いると、臥床者の体の突出部に対応するセルにセル高さ調整器具を取り付けるだけで、簡単に、また低コストに、臥床者の体圧を分散させることができる。
【００１２】
また、本発明のセル高さ調整器具を用いると、臥床者の体格や寝姿などに応じて突出部の位置が変わる場合であっても、当該突出部に対応するセルにセル高さ調整器具を取り付けるだけで、臥床者の体圧を分散させることができる。なお、マットレスの上面に形成される凹部を、体の突出部のみならず、他の所望の部位に、対応させてもよい。また、既存のマットレスに本発明のセル高さ調整器具を取り付けるだけで、当該マットレスに、臥床者の体圧を分散させる機能を付与することができる。このため、汎用性が高い。
【００１３】
（２）好ましくは、上記（１）の構成において、前記筒部は、帯状の展開状態と、前記セルに巻装される筒状の巻装状態と、に切り替え可能な帯部であり、該巻装状態において該セルの膨張を該帯部が規制することにより、該帯部が巻装された該セルの上面の高さを、該帯部が巻装されない該セルの上面の高さよりも、低く設定する構成とする方がよい。
【００１４】
本構成によると、セルに対する帯部の巻装長（周長）を調整することにより、セルの上面の高さを調整することができる。具体的には、帯部の周長を短くすると、セルの上面の高さを低くすることができる。反対に、帯部の周長を長くすると、セルの上面の高さを高くすることができる。
【００１５】
（３）好ましくは、上記（２）の構成において、さらに、前記帯部に配置され、前記巻装状態における該帯部の周長を表示する目盛部を備える構成とする方がよい。本構成によると、セルの高さを調整する作業者が目盛部を確認することにより、セルを膨張させる前の状態であっても、膨張後のセルの上面の高さを、ある程度想定することができる。
【００１６】
また、セルの周長は、セル高さ調整器具が取り付けられていないセルの上面の高さの目安になる。このため、セルを膨張させる前の状態であっても、セルの周長と目盛部（帯部の周長）とから、膨張後のおける、セル高さ調整器具が取り付けられていないセルの上面と、セル高さ調整器具が取り付けられているセルの上面と、の高低差を想定することができる。
【００１７】
（４）好ましくは、上記（２）または（３）の構成において、さらに、前記帯部に配置され、前記巻装状態を保持する係合部を備える構成とする方がよい。本構成によると、簡単に、セルの上面を所望の高さに保持することができる。
【００１８】
（５）好ましくは、上記（１）ないし（４）のいずれかの構成において、前記筒部は、単一の前記セルに巻装される構成とする方がよい。本構成によると、単一のセル単位でセルの上面の高さを調整することができる。このため、マットレスの上面に、緻密な凹凸を形成することができる。また、臥床者の体の突出部が小さい場合であっても、簡単にマットレスの凹部を対応させることができる。
【００１９】
（６）好ましくは、上記（１）ないし（４）のいずれかの構成において、前記筒部は、複数の前記セルを括って巻装される構成とする方がよい。本構成によると、複数のセル単位でセルの上面の高さを調整することができる。このため、マットレスの上面に、大まかな凹凸を形成することができる。また、臥床者の体の突出部が大きい場合であっても、簡単にマットレスの凹部を対応させることができる。
【００２０】
（７）好ましくは、上記（１）ないし（６）のいずれかの構成において、前記セルのうち前記筒部が環装された領域は、該筒部の周方向に対して直交する筒軸方向に沿って、高さが一定でない構成とする方がよい。
【００２１】
本構成によると、複数のセルの並置方向のみならず、セルの筒軸方向においても、マットレスの上面に凹凸が形成される。このため、セルの筒軸方向においても、凹凸のうち、凹部を、臥床者の体の突出部に、対応させることにより、臥床者の体の突出部に体圧が集中するのを抑制することができる。
【００２２】
（７−１）好ましくは、上記（７）の構成において、前記臥床者は、複数の前記セルの並置方向に沿って寝ており、該並置方向と前記筒軸方向とは直交しており、該セルのうち前記筒部が環装された領域は、該筒軸方向両端から該筒軸方向中央に向かって尖る、双テーパ状を呈している構成とする方がよい。
【００２３】
臥床者の胴部の断面形状は、楕円形を呈している。このため、本構成によると、筒部が環装されたセルの効果により、胴部を、包み込むように、広い面積で支持しやすい。したがって、体圧を分散させやすい。
【００２４】
（８）上記課題を解決するため、本発明の床ずれ抑制寝具は、上記（１）ないし（７）のいずれかの構成のセル高さ調整器具と、臥床者を下側から支持し、流体を流入させることにより膨張する複数のセルを有するセルユニットを備えるマットレスと、を備え、該セル高さ調整器具の筒部は、一部の該セルに環装され、該セルの膨張を該筒部が規制することにより、該筒部が環装された該セルの上面の高さを、該筒部が環装されない該セルの上面の高さよりも、低く設定することを特徴とする。
【００２５】
セル高さ調整器具は、膨張可能なセルに取り付けられる。セル高さ調整器具が取り付けられているセルは、セル高さ調整器具が取り付けられていないセルと比較して、膨張しにくい。このため、セル高さ調整器具が取り付けられているセルの方が、セル高さ調整器具が取り付けられていないセルよりも、上面の高さが低くなる。したがって、マットレスの上面に、複数のセルの並置方向に沿って、凹凸が形成される。当該凹凸のうち、凹部を、臥床者の体の突出部に、対応させることにより、臥床者の体の突出部に体圧が集中するのを抑制することができる。
【００２６】
このように、本発明の床ずれ抑制寝具を用いると、臥床者の体の突出部に対応するセルにセル高さ調整器具を取り付けるだけで、簡単に、また低コストに、臥床者の体圧を分散させることができる。
【００２７】
また、本発明の床ずれ抑制寝具を用いると、臥床者の体格や寝姿などに応じて突出部の位置が変わる場合であっても、当該突出部に対応するセルにセル高さ調整器具を取り付けるだけで、臥床者の体圧を分散させることができる。なお、マットレスの上面に形成される凹部を、体の突出部のみならず、他の所望の部位に、対応させてもよい。
また、既存のマットレスに本発明のセル高さ調整器具を取り付けるだけで、当該マットレスに、臥床者の体圧を分散させる機能を付与することができる。このため、汎用性が高い。
【００２８】
（８−１）好ましくは、上記（８）の構成において、前記マットレスは、前記セルユニットの、上側および下側のうち、少なくとも一方に配置され、ポリマーを含み前記臥床者の体圧により弾性的に変形可能なセンサ薄膜と、該センサ薄膜に直接あるいは間接的に接続される複数の電極と、複数の該電極間に形成される複数の検出部と、を有し、複数の該検出部に加わる該体圧を電気量として検出可能なシート状のセンサを備え、該電気量を基に該臥床者の体圧分布を算出し、該マットレスにおける該体圧が集中する領域に、前記筒部が環装された前記セルを配置する構成とする方がよい。
【００２９】
ここで、「直接あるいは間接的に」とは、電極とセンサ薄膜とが接合されているかいないかによらず電極がセンサ薄膜に直接接続されている場合と、電極とセンサ薄膜との間に少なくとも一つの別の層（例えば電極保護層など）が介装されている場合と、を含む。
【００３０】
本構成によると、センサを用いて得られた体圧分布から、マットレスにおける体圧が集中する領域を、特定することができる。このため、より確実に臥床者の体圧を分散させることができる。特に、セルの高さを調整する作業者に、臥床者が、自身の意思を伝えにくい場合に、本構成は有効である。
【００３１】
また、センサ薄膜は、臥床者の体圧により弾性的に変形可能である。このため、センサは、柔軟であり、伸縮性を有している。したがって、センサが、臥床者の体に沿って変形しやすい。よって、センサが、臥床者の近く、例えばセルユニットの上側に配置されている場合であっても、臥床者は、硬さ、ごわつきなどの違和感を感じにくい。また、センサは、臥床者の体の動きに対しても、追従して変形しやすい。このため、体圧分布の検出精度が高い。
【００３２】
（８−２）好ましくは、上記（８−１）の構成において、前記センサにおいて、複数の前記電極は、前記センサ薄膜の上側に配置される帯状の上側電極と、該センサ薄膜の下側に配置される帯状の下側電極と、からなり、複数の前記検出部は、該上側電極と該下側電極とが、上側または下側から見て、交差することにより形成され、前記体圧により該検出部の静電容量が変化する構成とする方がよい。本構成によると、検出部の静電容量の変化を基に、臥床者の体圧分布を算出することができる。
【００３３】
（８−３）好ましくは、上記（８−２）の構成において、前記上側電極および前記下側電極は、ポリマーと、該ポリマーに充填される導電性フィラーと、を含んで形成される構成とする方がよい。
【００３４】
本構成によると、上側電極、下側電極が、センサ薄膜と共に伸縮することができる。したがって、センサ薄膜の伸縮を、上側電極、下側電極が規制するおそれは小さい。また、センサ全体の伸縮性がより大きくなる。このため、センサが、臥床者の体に沿って変形しやすい。また、センサが、臥床者の体の動きに対しても、追従して変形しやすい。
【発明の効果】
【００３５】
本発明によると、低コストで臥床者の体圧を分散可能で、臥床者に応じてセルの高さを簡単に調整可能なセル高さ調整器具および床ずれ抑制寝具を提供することができる。
【図面の簡単な説明】
【００３６】
【図１】第一実施形態の床ずれ抑制寝具が配置されたベッドの分解斜視図である。
【図２】同ベッドの前後方向断面図である。
【図３】同床ずれ抑制寝具のマットレスのセルユニットの上面図である。
【図４】同床ずれ抑制寝具のマットレスのセンサの透過上面図である。
【図５】図４のＶ−Ｖ断面図である。
【図６】図２の枠ＶＩ内部分の拡大図である。
【図７】第一実施形態のセル高さ調整器具が取り付けられたエアセルの斜視図である。
【図８】同セル高さ調整器具とエアセルとの分解斜視図である。
【図９】同セル高さ調整器具が取り付けられたエアセルの下面図である。
【図１０】図９の円Ｘ内部分の拡大図である。
【図１１】第二実施形態のセル高さ調整器具の巻装状態における上面図である。
【図１２】第三実施形態のセル高さ調整器具が取り付けられた３個のエアセルの斜視図である。
【図１３】第四実施形態の床ずれ抑制寝具のマットレスのセンサの断面図である。
【図１４】第五実施形態の床ずれ抑制寝具のマットレスのセンサの上面図である。
【発明を実施するための形態】
【００３７】
以下、本発明のセル高さ調整器具および床ずれ抑制寝具の実施の形態について説明する。
【００３８】
＜＜第一実施形態＞＞
＜床ずれ抑制寝具の配置および構成＞
まず、本実施形態の床ずれ抑制寝具の配置および構成について説明する。図１に、本実施形態の床ずれ抑制寝具が配置されたベッドの分解斜視図を示す。図２に、同ベッドの前後方向断面図を示す。図１、図２に示すように、ベッド９は、床ずれ抑制寝具１と、ベッド本体９０と、クッションマット９１と、を備えている。
【００３９】
床ずれ抑制寝具１は、ベッド本体９０の床板９００の上面に配置されている。クッションマット９１は、マットレス３の上面に配置されている。クッションマット９１は、ポリエチレンテレフタレートなどの三次元立体編物（旭化成せんい（株）製「フュージョン（登録商標）」）製であって、長方形板状を呈している。臥床者Ｍは、クッションマット９１の上面に寝ている。床ずれ抑制寝具１は、合計５個のセル高さ調整器具２と、マットレス３と、を備えている。
【００４０】
［マットレス３］
マットレス３は、セルユニット３０と、体圧調整部と、制御部と、センサ３３と、カバー３４と、を備えている。
【００４１】
（セルユニット３０、カバー３４）
図３に、本実施形態の床ずれ抑制寝具のマットレスのセルユニットの上面図を示す。図１〜図３に示すように、セルユニット３０は、前後方向に長い長方形板状を呈している。セルユニット３０は、合計２４個のエアセル３００を備えている。エアセル３００は、本発明の「セル」の概念に含まれる。エアセル３００は、各々、ウレタンフィルム製であって、左右方向に長い角筒袋状を呈している。エアセル３００は、前後方向に連なっている。エアセル３００は、柔軟である。エアセル３００と、後述する体圧調整部と、の間では、空気の給排が行われる。空気は、本発明の「流体」の概念に含まれる。カバー３４は、ウレタンフィルム製であって、前後方向に長い長方形袋状を呈している。カバー３４には、セルユニット３０が収容されている。
【００４２】
（体圧調整部３１）
体圧調整部３１は、合計２４組の給排ユニット３１０を備えている。２４組の給排ユニット３１０は、２４個のエアセル３００に接続されている。なお、図３においては、給排ユニット３１０を一組だけ示す。
【００４３】
２４組の給排ユニット３１０は、各々、ポンプ３１０ａと、給排切替バルブ３１０ｂと、圧力計３１０ｃと、メインホース３１０ｄと、排気ホース３１０ｅと、を備えている。メインホース３１０ｄは、ポンプ３１０ａとエアセル３００とを接続している。メインホース３１０ｄの途中には、給排切替バルブ３１０ｂと、圧力計３１０ｃと、が配置されている。給排切替バルブ３１０ｂはポンプ３１０ａ側に、圧力計３１０ｃはエアセル３００側に、それぞれ配置されている。排気ホース３１０ｅは、給排切替バルブ３１０ｂに接続されている。給排切替バルブ３１０ｂを切り替えることにより、メインホース３１０ｄと排気ホース３１０ｅとを、連結、遮断することができる。
【００４４】
（センサ３３）
図１、図２に示すように、センサ３３は、カバー３４の上面に配置されている。図４に、本実施形態の床ずれ抑制寝具のマットレスのセンサの透過上面図を示す。図５に、図４のＶ−Ｖ断面図を示す。なお、図４においては、上側絶縁被覆層３３１を省略して示す。また、下側電極０１Ｙ〜１６Ｙ、下側配線０１ｙ〜１６ｙを細線で示す。また、検出部Ａ０１０１〜Ａ１６１６にハッチングを施して示す。また、図５においては、上側配線０１ｘ〜１６ｘ、下側配線０１ｙ〜１６ｙ、上側配線用コネクタ３３３、下側配線用コネクタ３３４を省略して示す。
【００４５】
図４、図５に示すように、センサ３３は、センサ薄膜３３０と、上側電極０１Ｘ〜１６Ｘと、下側電極０１Ｙ〜１６Ｙと、検出部Ａ０１０１〜Ａ１６１６と、上側配線０１ｘ〜１６ｘと、下側配線０１ｙ〜１６ｙと、上側絶縁被覆層３３１と、下側絶縁被覆層３３２と、上側配線用コネクタ３３３と、下側配線用コネクタ３３４と、を備えている。なお、検出部の符号「Ａ○○△△」中、上二桁の「○○」は、上側電極０１Ｘ〜１６Ｘに対応している。下二桁の「△△」は、下側電極０１Ｙ〜１６Ｙに対応している。センサ３３の切断時伸びは、３００％である。
【００４６】
センサ薄膜３３０は、ウレタンゴム製であって、シート状を呈している。ウレタンゴムは、「ポリマー」の概念に含まれる。センサ薄膜３３０は、前後方向に長い長方形膜状を呈している。
【００４７】
上側電極０１Ｘ〜１６Ｘは、センサ薄膜３３０の上面に、合計１６本配置されている。上側電極０１Ｘ〜１６Ｘは、各々、アクリルゴムと、導電性カーボンブラックと、を含んで形成されている。アクリルゴムは、「ポリマー」の概念に含まれる。導電性カーボンブラックは、「導電性フィラー」の概念に含まれる。上側電極０１Ｘ〜１６Ｘは、各々、帯状を呈している。上側電極０１Ｘ〜１６Ｘは、各々、左右方向に延在している。上側電極０１Ｘ〜１６Ｘは、前後方向に、所定間隔毎に離間して、互いに略平行になるように、配置されている。
【００４８】
上側配線０１ｘ〜１６ｘは、センサ薄膜３３０の上面に、合計１６本配置されている。上側配線０１ｘ〜１６ｘは、各々、アクリルゴムと、銀粉と、を含んで形成されている。上側配線０１ｘ〜１６ｘは、各々、線状を呈している。上側配線用コネクタ３３３は、センサ薄膜３３０の右前隅に配置されている。上側配線０１ｘ〜１６ｘは、各々、上側電極０１Ｘ〜１６Ｘの右端と、上側配線用コネクタ３３３と、を接続している。
【００４９】
上側絶縁被覆層３３１は、センサ薄膜３３０の上側に配置されている。上側絶縁被覆層３３１は、アクリルゴムを含んで形成されている。上側絶縁被覆層３３１は、シート状を呈している。上側絶縁被覆層３３１は、センサ薄膜３３０、上側電極０１Ｘ〜１６Ｘ、上側配線０１ｘ〜１６ｘを、上側から覆っている。
【００５０】
下側電極０１Ｙ〜１６Ｙは、センサ薄膜３３０の下面に、合計１６本配置されている。下側電極０１Ｙ〜１６Ｙは、各々、アクリルゴムと、導電性カーボンブラックと、を含んで形成されている。アクリルゴムは、「ポリマー」の概念に含まれる。導電性カーボンブラックは、「導電性フィラー」の概念に含まれる。下側電極０１Ｙ〜１６Ｙは、各々、帯状を呈している。下側電極０１Ｙ〜１６Ｙは、各々、前後方向に延在している。下側電極０１Ｙ〜１６Ｙは、左右方向に、所定間隔毎に離間して、互いに略平行になるように、配置されている。
【００５１】
下側配線０１ｙ〜１６ｙは、センサ薄膜３３０の下面に、合計１６本配置されている。下側配線０１ｙ〜１６ｙは、各々、アクリルゴムと、銀粉と、を含んで形成されている。下側配線０１ｙ〜１６ｙは、各々、線状を呈している。下側配線用コネクタ３３４は、センサ薄膜３３０の右後隅に配置されている。下側配線０１ｙ〜１６ｙは、各々、下側電極０１Ｙ〜１６Ｙの後端と、下側配線用コネクタ３３４と、を接続している。
【００５２】
下側絶縁被覆層３３２は、センサ薄膜３３０の下側に配置されている。下側絶縁被覆層３３２は、アクリルゴムを含んで形成されている。下側絶縁被覆層３３２は、シート状を呈している。下側絶縁被覆層３３２は、センサ薄膜３３０、下側電極０１Ｙ〜１６Ｙ、下側配線０１ｙ〜１６ｙを、下側から覆っている。
【００５３】
検出部Ａ０１０１〜Ａ１６１６は、図４にハッチングで示すように、上側電極０１Ｘ〜１６Ｘと、下側電極０１Ｙ〜１６Ｙと、が上側または下側から見て、交差する部分（重複する部分）に配置されている。検出部Ａ０１０１〜Ａ１６１６は、各々、上側電極０１Ｘ〜１６Ｘの一部と、下側電極０１Ｙ〜１６Ｙの一部と、センサ薄膜３３０の一部と、を備えている。検出部Ａ０１０１〜Ａ１６１６は、合計２５６個（＝１６個×１６個）配置されている。検出部Ａ０１０１〜Ａ１６１６は、センサ３３の略全面に亘って配置されている。
【００５４】
（制御部３２）
制御部３２は、電源回路３２０と、ＣＰＵ（Ｃｅｎｔｒａｌ  Ｐｒｏｃｅｓｓｉｎｇ  Ｕｎｉｔ）３２１と、ＲＡＭ（Ｒａｎｄｏｍ  Ａｃｃｅｓｓ  Ｍｅｍｏｒｙ）３２２と、ＲＯＭ（Ｒｅａｄ  Ｏｎｌｙ  Ｍｅｍｏｒｙ）３２３と、駆動回路３２４と、を備えている。
【００５５】
電源回路３２０は、検出部Ａ０１０１〜Ａ１６１６に、正弦波状の交流電圧を印加する。交流電圧は、検出部Ａ０１０１〜Ａ１６１６に、走査的に順番に印加される。ＲＯＭ３２３には、予め、検出部Ａ０１０１〜Ａ１６１６における静電容量と体圧（荷重）との対応を示すマップが、格納されている。ＲＡＭ３２２には、上側配線用コネクタ３３３、下側配線用コネクタ３３４から入力されるインピーダンス、位相が、一時的に格納される。ＣＰＵ３２１は、ＲＡＭ３２２に格納されたインピーダンス、位相を基に、検出部Ａ０１０１〜Ａ１６１６の静電容量を抽出する。そして、静電容量から、センサ３３における体圧分布を算出する。
【００５６】
図３に示すように、駆動回路３２４は、体圧調整部３１の給排ユニット３１０の、ポンプ３１０ａと、給排切替バルブ３１０ｂと、に接続されている。また、制御部３２には、体圧調整部３１の給排ユニット３１０の圧力計３１０ｃから、圧力が電気信号として入力される。
【００５７】
［セル高さ調整器具２］
図２、図３に示すように、臥床者Ｍの臀部と背中（肩甲骨付近）とは、下側に突出している。このため、臀部と背中とには、臥床者Ｍの体圧が集中しやすい。合計５個のセル高さ調整器具２は、２４個のエアセル３００のうち、臀部の下側に配置された３個のエアセル３００と、背中の下側に配置された２個のエアセル３００と、に取り付けられている。
【００５８】
図６に、図２の枠ＶＩ内部分の拡大図を示す。図７に、本実施形態のセル高さ調整器具が取り付けられたエアセルの斜視図を示す。図８に、同セル高さ調整器具とエアセルとの分解斜視図を示す。図９に、同セル高さ調整器具が取り付けられたエアセルの下面図を示す。図１０に、図９の円Ｘ内部分の拡大図を示す。
【００５９】
なお、図８においては、帯部２０を透過して示す。また、下向係合部２２ｂにハッチングを施して示す。また、図６、図７、図９、図１０に示す状態は、本発明の「巻装状態」に相当する。図８に示す状態は、本発明の「展開状態」に相当する。
【００６０】
図６〜図８に示すように、セル高さ調整器具２は、帯部２０と目盛部２１と係合部２２とを備えている。帯部２０は、ポリウレタン製であって、長方形帯状を呈している。図７に示すように、巻装状態において、帯部２０は、エアセル３００の両端以外の部分の外周面に巻装されている。
【００６１】
係合部２２は、上向係合部２２ａと下向係合部２２ｂとを備えている。上向係合部２２ａ、下向係合部２２ｂは、マジックテープ（登録商標）である。図８に示すように、展開状態において、上向係合部２２ａは、帯部２０の前縁２０ａ付近の上面に配置されている。また、下向係合部２２ｂは、帯部２０の後縁２０ｂ付近の下面に配置されている。図６に示すように、巻装状態において、帯部２０の巻回端、および係合部２２は、エアセル３００の下側に配置されている。上向係合部２２ａは、下向係合部２２ｂの下側に、回り込んでいる。上向係合部２２ａと下向係合部２２ｂとは、係脱可能に係合している。
【００６２】
図８に示すように、展開状態において、目盛部２１は、帯部２０の下面に配置されている。図９、図１０に示すように、巻装状態において、目盛部２１は、帯部２０の前縁２０ａにより、径方向外側から、部分的に覆われている。ここで、目盛部２１のうち、前縁２０ａが重なる位置は、巻装状態における帯部２０の周長を示している。すなわち、目盛部２１と前縁２０ａとの位置関係から、巻装状態における帯部２０の周長を認識することができる。
【００６３】
＜体圧分散方法＞
次に、本実施形態の床ずれ抑制寝具を用いた体圧分散方法について説明する。体圧分散方法は、体圧分布算出工程と、セル高さ調整器具取付工程と、セル膨張工程と、を有している。
【００６４】
［体圧分布算出工程］
本工程においては、まず、クッションマット９１の上面に臥床者Ｍが寝ていない状態で、全てのエアセル３００を同様に膨張させる。具体的には、図３に示すように、全ての給排ユニット３１０を駆動する。すなわち、まず、メインホース３１０ｄを介して、ポンプ３１０ａとエアセル３００とを連結する。続いて、制御部３２の駆動回路３２４により、ポンプ３１０ａを駆動する。そして、エアセル３００内に空気を供給する。制御部３２には、圧力計３１０ｃを介して、エアセル３００の内圧が入力される。エアセル３００の内圧が所定圧力に達したら、制御部３２はポンプ３１０ａを停止する。このようにして、全てのエアセル３００の内圧を、略一定にする。並びに、全てのエアセル３００の上面の高さを、略一定にする。言い換えると、クッションマット９１の上面をフラットな状態にする。
【００６５】
次に、クッションマット９１の上面に臥床者Ｍを寝させる。それから、センサ３３の検出部Ａ０１０１〜Ａ１６１６の静電容量を基に、制御部３２が臥床者Ｍの体圧分布を算出する。本工程により、臥床者Ｍの臀部と背中とに体圧が集中していることが判る。
【００６６】
それから、全てのエアセル３００を同様に収縮させる。具体的には、図３に示すように、全ての給排ユニット３１０を駆動する。すなわち、制御部３２の駆動回路３２４により、給排切替バルブ３１０ｂを切り替える。そして、メインホース３１０ｄと排気ホース３１０ｅとを連結する。連結により、エアセル３００内の空気は、メインホース３１０ｄと排気ホース３１０ｅとを介して、外部に排気される。このため、全てのエアセル３００が収縮する。
【００６７】
［セル高さ調整器具取付工程］
本工程においては、臀部下の３個のエアセル３００と、背中下の２個のエアセル３００と、にセル高さ調整器具２を取り付ける。具体的には、図８、図７に示すように、まず、セル高さ調整器具２の帯部２０を、収縮した状態のエアセル３００に環装する。次に、目盛部２１と前縁２０ａとの位置関係を目安に、巻装状態における帯部２０の周長を設定する。それから、設定された周長を保持したまま、係合部２２の上向係合部２２ａと下向係合部２２ｂとを係合させる。本工程により、巻装状態における、セル高さ調整器具２が取り付けられているエアセル３００の上面の高さを想定することができる。また、巻装状態における、セル高さ調整器具２が取り付けられているエアセル３００の上面と、セル高さ調整器具２が取り付けられていないエアセル３００の上面と、の高低差を想定することができる。
【００６８】
［セル膨張工程］
本工程においては、体圧分布算出工程同様に、クッションマット９１の上面に臥床者Ｍが寝ていない状態で、全てのエアセル３００に空気を送り込む。そして、全てのエアセル３００を膨張させる。ここで、セル高さ調整器具２が取り付けられていないエアセル３００は、体圧分布算出工程同様の周長まで、膨張する。これに対して、セル高さ調整器具２が取り付けられているエアセル３００は、セル高さ調整器具２により、膨張が抑制される。このため、帯部２０の周長までしか、膨張することができない。このため、セル高さ調整器具２が取り付けられているエアセル３００の上面と、セル高さ調整器具２が取り付けられていないエアセル３００の上面と、の間に高低差が発生する。したがって、図２に示すように、クッションマット９１の上面に凹凸が形成される。具体的には、クッションマット９１の上面のうち、臥床者Ｍの臀部と背中とに対応する領域が、下側に没入する。
【００６９】
この状態で、臥床者Ｍをクッションマット９１に寝かせると、臥床者Ｍの下面が、広い面積でクッションマット９１に支持される。このため、臀部、背中に体圧が集中するのを抑制することができる。すなわち、臥床者Ｍの体圧を分散させることができる。
【００７０】
なお、臥床者Ｍの下面の凹凸と、クッションマット９１の上面の凹凸と、がフィットしない場合は、フィットするまで、セル高さ調整器具取付工程（帯部２０の周長を調整する）と、セル膨張工程と、を繰り返す。
【００７１】
＜作用効果＞
次に、本実施形態のセル高さ調整器具および床ずれ抑制寝具の作用効果について説明する。本実施形態のセル高さ調整器具２は、膨張可能なエアセル３００に取り付けられる。セル高さ調整器具２が取り付けられているエアセル３００は、セル高さ調整器具２が取り付けられていないエアセル３００と比較して、膨張しにくい。このため、セル高さ調整器具２が取り付けられているエアセル３００の方が、セル高さ調整器具２が取り付けられていないエアセル３００よりも、上面の高さが低くなる。したがって、クッションマット９１の上面に、複数のエアセル３００の並置方向（前後方向）に沿って、凹凸が形成される。当該凹凸のうち、凹部を、臥床者Ｍの体の突出部（臀部、背中）に、対応させることにより、臥床者Ｍの体の突出部に体圧が集中するのを抑制することができる。
【００７２】
このように、本実施形態のセル高さ調整器具２を用いると、臥床者Ｍの体の突出部に対応するエアセル３００にセル高さ調整器具２を取り付けるだけで、簡単に、また低コストに、臥床者Ｍの体圧を分散させることができる。
【００７３】
また、本実施形態のセル高さ調整器具２を用いると、臥床者Ｍの体格や寝姿などに応じて突出部の位置が変わる場合であっても、当該突出部に対応するエアセル３００にセル高さ調整器具２を取り付けるだけで、臥床者Ｍの体圧を分散させることができる。なお、クッションマット９１の上面に形成される凹部を、体の突出部のみならず、他の所望の部位に、対応させてもよい。
【００７４】
また、既存のマットレス３に本実施形態のセル高さ調整器具２を取り付けるだけで、当該マットレス３に、臥床者Ｍの体圧を分散させる機能を付与することができる。このため、汎用性が高い。
【００７５】
また、本実施形態のセル高さ調整器具２によると、エアセル３００に帯部２０を環装することにより、セル高さ調整器具２を取り付けることができる。すなわち、エアセル３００に対するセル高さ調整器具２の取付作業が簡単になる。また、エアセル３００に対する帯部２０の巻装長（周長）を調整することにより、エアセル３００の上面の高さを調整することができる。具体的には、帯部２０の周長を短くすると、エアセル３００の上面の高さを低くすることができる。反対に、帯部２０の周長を長くすると、エアセル３００の上面の高さを高くすることができる。
【００７６】
また、本実施形態のセル高さ調整器具２によると、エアセル３００の高さを調整する作業者が目盛部２１を確認することにより、エアセル３００を膨張させる前の状態であっても、膨張後のエアセル３００の上面の高さを、ある程度想定することができる。
【００７７】
また、エアセル３００の周長は、セル高さ調整器具２が取り付けられていないエアセル３００の上面の高さの目安になる。このため、エアセル３００を膨張させる前の状態であっても、エアセル３００の周長と目盛部２１（帯部２０の周長）とから、膨張後における、セル高さ調整器具２が取り付けられていないエアセル３００の上面と、セル高さ調整器具２が取り付けられているエアセル３００の上面と、の高低差を想定することができる。また、本実施形態のセル高さ調整器具２は、巻装状態を保持する係合部２２を備えている。このため、簡単に、エアセル３００の上面を所望の高さに保持することができる。
【００７８】
また、本実施形態のセル高さ調整器具２によると、帯部２０は、単一のエアセル３００に巻装されている。このため、単一のエアセル３００単位で、エアセル３００の上面の高さを調整することができる。したがって、クッションマット９１の上面に、緻密な凹凸を形成することができる。また、臥床者Ｍの体の突出部が小さい場合であっても、簡単にクッションマット９１の凹部を対応させることができる。
【００７９】
また、本実施形態のセル高さ調整器具２によると、帯部２０の巻回端は、エアセル３００の下側に配置されている。このため、隣接するエアセル３００の動きを、巻回端が規制するおそれがない。
【００８０】
また、本実施形態の床ずれ抑制寝具１によると、センサ３３を用いて得られた体圧分布から、クッションマット９１における体圧が集中する領域を、特定することができる。このため、より確実に臥床者Ｍの体圧を分散させることができる。特に、エアセル３００の高さを調整する作業者に、臥床者が、自身の意思を伝えにくい場合に、本実施形態の床ずれ抑制寝具１は有効である。
【００８１】
また、センサ３３のセンサ薄膜３３０は、ウレタンゴム製である。このため、センサ３３は、柔軟であり、伸縮性を有している。したがって、センサ３３が、臥床者Ｍの体に沿って変形しやすい。よって、臥床者Ｍは、硬さ、ごわつきなどの違和感を感じにくい。また、センサ３３は、臥床者Ｍの体の動きに対しても、追従して変形しやすい。このため、体圧分布の検出精度が高い。
【００８２】
また、センサ３３の上側電極０１Ｘ〜１６Ｘ、下側電極０１Ｙ〜１６Ｙは、アクリルゴムを含んでいる。このため、上側電極０１Ｘ〜１６Ｘ、下側電極０１Ｙ〜１６Ｙが、センサ薄膜３３０と共に伸縮することができる。したがって、センサ薄膜３３０の伸縮を、上側電極０１Ｘ〜１６Ｘ、下側電極０１Ｙ〜１６Ｙが規制するおそれは小さい。また、センサ３３全体の伸縮性がより大きくなる。このため、センサ３３が、臥床者Ｍの体に沿って変形しやすい。また、センサ３３が、臥床者Ｍの体の動きに対しても、追従して変形しやすい。また、本実施形態の床ずれ抑制寝具１によると、センサ３３の静電容量の変化から体圧分布を算出することができる。
【００８３】
また、センサ３３の上側絶縁被覆層３３１、下側絶縁被覆層３３２は、アクリルゴムを含んでいる。このため、上側絶縁被覆層３３１が上側電極０１Ｘ〜１６Ｘと共に伸縮することができる。並びに、下側絶縁被覆層３３２が下側電極０１Ｙ〜１６Ｙと共に伸縮することができる。このため、上側電極０１Ｘ〜１６Ｘ、下側電極０１Ｙ〜１６Ｙの伸縮を上側絶縁被覆層３３１、下側絶縁被覆層３３２が規制するおそれは小さい。また、センサ３３全体の伸縮性がより大きくなる。このため、センサ３３が、臥床者Ｍの体に沿って変形しやすい。また、センサ３３が、臥床者Ｍの体の動きに対しても、追従して変形しやすい。
【００８４】
また、上側電極０１Ｘ〜１６Ｘ、下側電極０１Ｙ〜１６Ｙは、共に帯状である。並びに、検出部Ａ０１０１〜Ａ１６１６は、上側電極０１Ｘ〜１６Ｘと下側電極０１Ｙ〜１６Ｙとの交差部分を利用して配置されている。このため、電極数および配線数が少なくて済む。すなわち、検出部Ａ０１０１〜Ａ１６１６は、センサ３３に、合計２５６個配置されている。ここで、検出部Ａ０１０１〜Ａ１６１６毎に電極を配置すると、上側電極が２５６個、下側電極が２５６個、それぞれ必要になる。これに対して、本実施形態のセンサ３３によると、２５６個の検出部Ａ０１０１〜Ａ１６１６を確保するのに、上側電極０１Ｘ〜１６Ｘ、下側電極０１Ｙ〜１６Ｙを合計３２本（＝１６本＋１６本）配置するだけで済む。このため、電極および配線の配置数が少なくなる。加えて、上側電極０１Ｘ〜１６Ｘ、下側電極０１Ｙ〜１６Ｙの本数、配置などを変更するだけで、検出部Ａ０１０１〜Ａ１６１６の数、配置密度などを調整することができる。したがって、エアセル３００の数や大きさに応じて、所望のセンサ３３を容易に構成することができる。
【００８５】
また、エアセル３００の内圧調整には、空気が用いられている。このため、内圧調整に液体（水など）を使用する場合と比較して、セルユニット３０の重量が軽くなる。また、センサ３３の上面には、クッションマット９１が配置されている。言い換えると、臥床者Ｍとセンサ３３との間に、クッションマット９１が介装されている。クッションマット９１は通気性に優れている。このため、センサ３３と臥床者Ｍとの間に湿気がこもりにくい。その結果、床ずれを抑制することができ、寝心地も向上する。
【００８６】
＜＜第二実施形態＞＞
本実施形態の床ずれ抑制寝具と、第一実施形態の床ずれ抑制寝具と、の相違点は、巻装状態において、エアセルのうち帯部が環装された領域が、筒軸方向（左右方向）両端から筒軸方向中央に向かって尖る、双テーパ状を呈している点である。ここでは、相違点についてのみ説明する。
【００８７】
図１１に、本実施形態のセル高さ調整器具の巻装状態における上面図を示す。なお、図８と対応する部位については同じ符号で示す。また、展開状態を細線で示す。また、帯部２０を透過して示す。
【００８８】
図１１に示すように、展開状態において、帯部２０の前縁２０ａは、筒軸方向中央が後方に凹む、曲線状を呈している。また、展開状態において、帯部２０の後縁２０ｂは、左右方向中央が前方に凹む、曲線状を呈している。
【００８９】
巻装状態においては、このような形状の帯部２０が、エアセル３００に取り付けられる。巻装状態において、エアセル３００のうち帯部２０が環装された領域は、筒軸方向両端から筒軸方向中央に向かって尖る、双テーパ状（砂時計状）を呈している。筒軸方向両端から筒軸方向中央に向かって、エアセル３００の上面の高さは、徐々に低くなっている。
【００９０】
本実施形態の床ずれ抑制寝具と、第一実施形態の床ずれ抑制寝具と、は構成が共通する部分に関しては、同様の作用効果を有している。また、臥床者の胴部の断面形状は、楕円形を呈している。このため、本実施形態のセル高さ調整器具２によると、クッションマットのうち帯部２０が環装されたエアセル３００に対応する領域が、胴部を、包み込むように、広い面積で支持しやすい。したがって、体圧を分散させやすい。
【００９１】
＜＜第三実施形態＞＞
本実施形態の床ずれ抑制寝具と、第一実施形態の床ずれ抑制寝具と、の相違点は、巻装状態において、単一の帯部が３個のエアセルを括っている点である。ここでは、相違点についてのみ説明する。
【００９２】
図１２に、本実施形態のセル高さ調整器具が取り付けられた３個のエアセルの斜視図を示す。なお、図７と対応する部位については同じ符号で示す。図１２に示すように、セル高さ調整器具２は、３個のエアセル３００に取り付けられている。すなわち、帯部２０は、３個のエアセル３００を括っている。
【００９３】
本実施形態の床ずれ抑制寝具と、第一実施形態の床ずれ抑制寝具と、は構成が共通する部分に関しては、同様の作用効果を有している。また、本実施形態のセル高さ調整器具２によると、複数のエアセル３００単位でエアセル３００の上面の高さを調整することができる。このため、クッションマットの上面に、大まかな凹凸を形成することができる。また、臥床者の体の突出部が大きい場合であっても、簡単にクッションマットの凹部を対応させることができる。
【００９４】
＜＜第四実施形態＞＞
本実施形態の床ずれ抑制寝具と、第一実施形態の床ずれ抑制寝具と、の相違点は、センサの構成だけである。ここでは相違点について説明する。図１３に、本実施形態の床ずれ抑制寝具のマットレスのセンサの断面図を示す。なお、図５と対応する部位については同じ符号で示す。
【００９５】
図１３に示すように、センサ３３は、上側電極保護層３３５と、上側基板３３６と、下側電極保護層３３７と、下側基板３３８と、を備えている。上側基板３３６は、シリコーンゴム製であって、前後方向に長い長方形フィルム状を呈している。上側電極０１Ｘ〜１６Ｘ、上側配線は、上側基板３３６の下面に配置されている。上側電極保護層３３５は、シリコーンゴム製である。上側電極保護層３３５は、上側電極０１Ｘ〜１６Ｘ、上側配線を下側から覆っている。下側基板３３８は、シリコーンゴム製であって、前後方向に長い長方形フィルム状を呈している。下側電極０９Ｙ、下側配線は、下側基板３３８の上面に配置されている。下側電極保護層３３７は、シリコーンゴム製である。下側電極保護層３３７は、下側電極０９Ｙ、下側配線を上側から覆っている。センサ薄膜３３０は、ウレタンフォーム製である。
【００９６】
本実施形態の床ずれ抑制寝具と、第一実施形態の床ずれ抑制寝具と、は構成が共通する部分に関しては、同様の作用効果を有している。また、本実施形態の床ずれ抑制寝具のマットレスのように、上側電極０１Ｘ〜１６Ｘとセンサ薄膜３３０との間に上側電極保護層３３５が、下側電極０９Ｙとセンサ薄膜３３０との間に下側電極保護層３３７が、それぞれ介装されていても、言い換えると、センサ薄膜３３０に、上側電極０１Ｘ〜１６Ｘと、下側電極０９Ｙと、が「間接的に」接続されていてもよい。本実施形態の床ずれ抑制寝具のマットレスによると、センサ薄膜３３０に電極、配線を配置しにくい場合（例えばセンサ薄膜３３０が発泡体製の場合）であっても、上側基板３３６、下側基板３３８に電極、配線を配置することができる。
【００９７】
＜＜第五実施形態＞＞
本実施形態の床ずれ抑制寝具と第一実施形態の床ずれ抑制寝具との相違点は、センサの構成が異なる点である。ここでは相違点についてのみ説明する。図１４に、本実施形態の床ずれ抑制寝具のマットレスのセンサの上面図を示す。図１４に示すように、センサ３５は、センサ薄膜３５０と、基板３５１と、コネクタ３５２と、電極０１ａ〜１６ａ、０１ｂ〜１６ｂ、０１ｃ〜１６ｃ、０１ｄ〜１６ｄと、配線３５３と、を備えている。
【００９８】
基板３５１は、エラストマー製であって、長方形板状を呈している。基板３５１は、弾性変形可能である。センサ薄膜３５０は、基板３５１の上面に配置されている。センサ薄膜３５０は、導電性フィラーが配合されたエチレン−プロピレン−ジエン三元共重合体（ＥＰＤＭ）製であって、長方形膜状を呈している。センサ薄膜３５０における導電性フィラーの含有割合は、センサ薄膜３５０の体積を１００ｖｏｌ％とした場合の約４５ｖｏｌ％である。無荷重状態において、センサ薄膜３５０は、高い導電性を有する。一方、荷重が加わりセンサ薄膜３５０が変形すると、導電性フィラー同士の接触状態が変化する。これにより、三次元的な導電パスが崩壊し、センサ薄膜３５０の電気抵抗は増加する。つまり、センサ薄膜３５０の電気抵抗は、弾性変形量が増加するのに従って増加する。コネクタ３５２は、正方形板状を呈している。コネクタ３５２は、基板３５１の上面の右後隅に配置されている。
【００９９】
電極０１ａ〜１６ａは、センサ薄膜３５０の左辺に、所定間隔ずつ離間して並んでいる。電極０１ｂ〜１６ｂは、センサ薄膜３５０の右辺に、所定間隔ずつ離間して並んでいる。電極０１ａ〜１６ａと電極０１ｂ〜１６ｂとは、図１４に一点鎖線で示すように、各々、左右方向に対向している。
【０１００】
電極０１ｃ〜１６ｃは、センサ薄膜３５０の後辺に、所定間隔ずつ離間して並んでいる。電極０１ｄ〜１６ｄは、センサ薄膜３５０の前辺に、所定間隔ずつ離間して並んでいる。電極０１ｃ〜１６ｃと電極０１ｄ〜１６ｄとは、図１４に一点鎖線で示すように、各々、前後方向に対向している。これら一点鎖線の交点（合計２５６＝１６×１６）が、検出部である。電極０１ａ〜１６ａ、０１ｂ〜１６ｂ、０１ｃ〜１６ｃ、０１ｄ〜１６ｄと、コネクタ３５２とは、各々、配線３５３により接続されている。
【０１０１】
制御部３６は、電源回路３６０と、ＣＰＵ３６１と、ＲＡＭ３６２と、ＲＯＭ３６３と、駆動回路３６４と、を備えている。制御部３６は、コネクタ３５２と電気的に接続されている。ＲＯＭ３６３には、予め、検出部における電気抵抗と体圧（荷重）との対応を示すマップが、格納されている。電源回路３６０は検出部に直流電圧を印加する。直流電圧は、合計２５６点の検出部に、走査的に順番に印加される。各検出部の電気抵抗は、ＲＡＭ３６２に一時的に格納される。ＣＰＵ３６１は、ＲＡＭ３６２に格納された電気抵抗から、センサ薄膜３５０の荷重分布を算出する。駆動回路３６４は、前出図３を援用して示すように、体圧調整部３１の給排ユニット３１０の、ポンプ３１０ａと給排切替バルブ３１０ｂとに接続されている。また、制御部３６には、給排ユニット３１０の圧力計３１０ｃから、圧力が電気信号として入力される。
【０１０２】
本実施形態の床ずれ抑制寝具と、第一実施形態の床ずれ抑制寝具と、は構成が共通する部分に関しては、同様の作用効果を有している。また、本実施形態の床ずれ抑制寝具のマットレスによると、センサ３５の電気抵抗の変化から体圧分布を算出することができる。
【０１０３】
＜＜その他＞＞
以上、本発明のセル高さ調整器具および床ずれ抑制寝具の実施の形態について説明した。しかしながら、実施の形態は上記形態に特に限定されるものではない。当業者が行いうる種々の変形的形態、改良的形態で実施することも可能である。
【０１０４】
例えば、セル膨張工程後は、床ずれ抑制寝具１のマットレス３からセンサ３３、３５を撤去してもよい。また、センサ３３、３５を用いずに、臥床者Ｍの嗜好により、セル高さ調整器具２を取り付けるエアセル３００を選択してもよい。
【０１０５】
セル高さ調整器具２の係合部２２の種類は特に限定しない。ボタン、ジッパー、ベルトを利用してもよい。また、係合爪と、当該係合爪が係止される被係合部と、を用いてもよい。また、単一のエアセル３００に、複数のセル高さ調整器具２を配置してもよい。この際、複数のセル高さ調整器具２の周長が異なっていてもよい。こうすると、単一のエアセル３００の上面に、凹凸を形成することができる。第三実施形態においては、単一の帯部２０により３個のエアセル３００をまとめて括ったが、単一の帯部２０により括るエアセル３００の数は、特に限定しない。
【０１０６】
帯部２０の材質は特に限定しない。例えば、ポリウレタン、ポリエチレン、ポリ塩化ビニル、ポリアミドなどの樹脂、ウレタン系、オレフィン系、スチレン系、アミド系、エステル系、塩化ビニル系などの熱可塑性エラストマー、およびウレタンゴム、ブチルゴム、シリコーンゴムなどのゴム、さらにポリエステル、ポリアミドなどの布や不織布などであってもよい。また、エアセル３００と同じ材料でもよい。また、エアセル３００の動きを規制しないように、摩擦係数が低い材料の方がよい。また、エアセル３００の膨張を規制しやすいように、ヤング率が高い材料の方がよい。また、帯部２０の巻回数により、エアセル３００の膨張に対する規制力を調整してもよい。また、上向係合部２２ａが展開状態における帯部２０の上面全面に配置されていてもよい（図８参照）。また、下向係合部２２ｂが展開状態における帯部２０の下面全面に配置されていてもよい（図８参照）。また、帯部２０の左右方向長さ、肉厚は特に限定しない。また、帯部２０の代わりに、巻回端のない筒部を配置してもよい。共通の筒部を有する複数のセル高さ調整器具２を複数のエアセル３００に取り付けることにより、複数のエアセル３００の上面の高さを、簡単に、揃えることができる。
【０１０７】
また、センサ３３、３５の構成、形状、大きさなどは、特に限定しない。また、センサ３３、３５から出力される電気量についても、電圧、電気抵抗、静電容量などのいずれであってもよい。電源回路３２０、３６０が検出部に印加する電圧は、交流であっても直流であってもよい。また、電圧の波形は、正弦波状であっても、矩形波状であってもよい。
【０１０８】
また、センサ３３、３５において、センサ薄膜３３０、３５０のポリマーの種類は、特に限定しない。例えば、第一〜第四実施形態の静電容量型のセンサ３３では、伸縮の繰り返しに対する耐久性、および静電容量を大きくするという観点から、伸び、強度、および比誘電率が大きいエラストマーを用いることが望ましい。例えば、シリコーンゴム、アクリロニトリル−ブタジエン共重合ゴム、アクリルゴム、エピクロロヒドリンゴム、クロロスルホン化ポリエチレン、塩素化ポリエチレン、ウレタンゴム、天然ゴム、イソプレンゴム、およびこれらの発泡体や、ウレタンフォームなどが好適である。
【０１０９】
また、センサ薄膜３３０は、エラストマー以外の他のポリマー製、例えば伸縮性を有する布製であってもよい。この場合、センサ薄膜３３０に荷重が加わると、布を構成する繊維間の隙間が潰されて、布の厚さは小さくなる。つまり、センサ薄膜３３０の厚さが小さくなる。これにより、上側電極０１Ｘ〜１６Ｘと下側電極０１Ｙ〜１６Ｙとの間の距離は小さくなる。その結果、上側電極０１Ｘ〜１６Ｘと下側電極０１Ｙ〜１６Ｙとの間の静電容量（検出部Ａ０１０１〜Ａ１６１６の静電容量）が大きくなり、荷重が検出される。
【０１１０】
布は、伸縮性を有するものであれば、織布、編み布、不織布のいずれであってもよい。布を使用することにより、伸縮柔軟性に優れたセンサ薄膜３３０を、比較的低コストに実現することができる。また、布を構成する繊維間には隙間がある。このため、小さな荷重で押圧された場合でも、隙間が潰れることにより、布の厚さは変化しやすい。したがって、センサ薄膜３３０は、高い検出感度を有し、応答性に優れる。センサ薄膜３３０は、単層であっても、複層であってもよい。複層の場合、異なる材質の誘電層を用いてもよい。
【０１１１】
また、第五実施形態の抵抗変化型のセンサ３５では、導電性フィラーとの相溶性などを考慮して、シリコーンゴム、エチレン−プロピレン共重合ゴム、天然ゴム、スチレン−ブタジエン共重合ゴム、アクリロニトリル−ブタジエン共重合ゴム、アクリルゴムなどが好適である。なお、第五実施形態では、センサ薄膜３５０の電気抵抗は、弾性変形量（荷重）が増加するのに従って増加した。しかし、荷重が増加するのに従って、電気抵抗が低下するようなセンサ薄膜３５０を使用してもよい。センサ薄膜３５０の電気抵抗の挙動については、母材のエラストマーの種類、導電性フィラーの種類および配合量などにより、調整することができる。
【０１１２】
また、上側基板３３６、下側基板３３８の材質は、特に限定しない。絶縁性を有する樹脂、エラストマーを用いればよい。例えば、ポリアミド、ポリエチレン、ポリエステル、ポリウレタン、ポリ塩化ビニル、アクリルゴム、ウレタンゴム、シリコーンゴム、エチレンプロピレン共重合体ゴム、天然ゴム、スチレン−ブタジエンゴム、アクリロニトリルブタジエンゴム、エピクロルヒドリンゴム、クロロスルホン化ポリエチレン、塩素化ポリエチレンゴム、ブチルゴムを用いてもよい。なお、電極、配線は、上側基板３３６、下側基板３３８に印刷してもよい。
【０１１３】
第一〜第四実施形態のセンサ３３においては、電極および配線を、エラストマーを含んで形成した。この場合、電極および配線が伸縮するため、センサ薄膜３３０と一体となって変形することができる、という利点がある。
【０１１４】
電極および配線に用いられるポリマーの材質は特に限定しない。ポリマーは、シリコーンゴム、エチレン−プロピレン共重合ゴム、天然ゴム、スチレン−ブタジエン共重合ゴム、アクリロニトリル−ブタジエン共重合ゴム、アクリルゴム、エピクロロヒドリンゴム、クロロスルホン化ポリエチレン、塩素化ポリエチレン、ウレタンゴムなどのエラストマーであってもよい。また、ポリマーは、ポリエステル、エポキシなどの樹脂であってもよい。こうすると、電極の伸縮性が高くなる。このため、電極とセンサ薄膜３３０とが一体的に屈曲、伸縮しやすい。
【０１１５】
電極および配線に用いられる導電性フィラーの材質は特に限定しない。導電性フィラーは、炭素材料および金属から選ばれる一種以上からなるものであってもよい。金属としては、導電性の高い銀、銅等が好適である。よって、導電性フィラーとして、銀、銅等の微粒子、あるいは表面に銀等のめっきを施した微粒子を使用することができる。また、炭素材料は、導電性が良好で、比較的安価である。このため、炭素材料からなる導電性フィラーを用いると、センサ３３、３５の製造コストを低減することができる。炭素材料としては、例えば、導電性カーボンブラック、カーボンナノチューブ、カーボンナノチューブの誘導体、グラファイト、導電性炭素繊維などが挙げられる。特に、導電性カーボンブラック、グラファイト、導電性炭素繊維は、導電性が良好で、比較的安価である。このため、これらの材料を用いると、センサ３３、３５延いては床ずれ抑制寝具１の製造コストを削減することができる。また、電極、配線を、金属材料や、有機繊維の表面に金属めっきを施した材料などで形成してもよい。
【０１１６】
また、いずれの実施形態においても、電極の数、配置場所については、特に限定しない。例えば、第一〜第四実施形態のセンサ３３において、帯状の上側電極０１Ｘ〜１６Ｘ、下側電極０１Ｙ〜１６Ｙの数、幅、長さについては、適宜決定すればよい。例えば、幅が大きいものと小さいものとを混合して、配置してもよい。また、上側電極０１Ｘ〜１６Ｘ、下側電極０１Ｙ〜１６Ｙの配置形態を変えることにより、検出部Ａ０１０１〜Ａ１６１６の数、配置を調整すればよい。
【０１１７】
上記実施形態では、一層のセンサ３３、３５により、体圧分布を検出した。しかし、二層以上のセンサ３３、３５を使用して、体圧分布を検出してもよい。例えば、検出部が密に配置されているセンサ３３、３５と、検出部が疎に配置されているセンサ３３、３５と、別々に準備して、床ずれが生じやすい部位には前者を配置して、それ以外の部位には後者を配置してもよい。
【０１１８】
上記実施形態では、センサ３３、３５を、カバー６の上面に配置した。しかし、センサ３３、３５を、カバー６の下側に配置してもよい。また、センサ３３、３５を、カバー６の内部に配置してもよい。センサ３３、３５とカバー６とは、全体的に接着されていても、されていなくてもよい。センサ３３、３５をカバー６の上面に配置する場合には、センサ３３、３５がエアセル３００の動きに追従しやすいように、センサ３３、３５の全体を接着しない方が望ましい。この場合、例えば、センサ３３、３５の外縁の複数個所をカバー６に固定することにより、センサ３３、３５のずれを抑制することができる。
【０１１９】
上記実施形態では、センサ３３、３５の上面に、クッションマット９１を配置した。クッションマット９１の材質は、通気性、クッション性を有するものであれば、特に限定しない。上記実施形態の他、例えば、東洋紡績（株）製の「ブレスエアー（登録商標）」、ウレタンフォームなどを用いたマットを使用してもよい。なお、クッションマット９１を配置しなくてもよい。
【０１２０】
また、クッションマット９１の上面を覆うように、さらにカバーを配置してもよい。これにより、クッションマット９１、マットレス３が汚れるのを抑制することができる。また、意匠性も向上する。この場合、カバーは通気性を有することが望ましい。
【０１２１】
上記実施形態では、エアセル３００の内圧調整に空気を用いたが、窒素など他の気体、水、オイル、ジェルなどの液体を用いてもよい。また、エアセル３００の配置数、形状、寸法などは特に限定しない。エアセル３００と検出部Ａ０１０１〜Ａ１６１６とを、上下方向に対向して配置してもよい。また、ポンプ３１０ａの代わりに、コンプレッサーやブロワなど、別の送風装置を配置してもよい。
【符号の説明】
【０１２２】
１：床ずれ抑制寝具、２：セル高さ調整器具、３：マットレス、６：カバー、９：ベッド。
２０：帯部、２０ａ：前縁、２０ｂ：後縁、２１：目盛部、２２：係合部、２２ａ：上向係合部、２２ｂ：下向係合部、３０：セルユニット、３１：体圧調整部、３２：制御部、３３：センサ、３４：カバー、３５：センサ、３６：制御部、９０：ベッド本体、９１：クッションマット。
３００：エアセル（セル）、３１０：給排ユニット、３１０ａ：ポンプ、３１０ｂ：給排切替バルブ、３１０ｃ：圧力計、３１０ｄ：メインホース、３１０ｅ：排気ホース、３２０：電源回路、３２１：ＣＰＵ、３２２：ＲＡＭ、３２３：ＲＯＭ、３２４：駆動回路、３３０：センサ薄膜、３３１：上側絶縁被覆層、３３２：下側絶縁被覆層、３３３：上側配線用コネクタ、３３４：下側配線用コネクタ、３３５：上側電極保護層、３３６：上側基板、３３７：下側電極保護層、３３８：下側基板、３５０：センサ薄膜、３５１：基板、３５２：コネクタ、３５３：配線、３６０：電源回路、３６１：ＣＰＵ、３６２：ＲＡＭ、３６３：ＲＯＭ、３６４：駆動回路、９００：床板。
０１Ｘ〜１６Ｘ：上側電極、０１Ｙ〜１６Ｙ：下側電極、０１ａ〜１６ａ：電極、０１ｂ〜１６ｂ：電極、０１ｃ〜１６ｃ：電極、０１ｄ〜１６ｄ：電極、０１ｘ〜１６ｘ：上側配線、０１ｙ〜１６ｙ：下側配線、Ａ０１０１〜Ａ１６１６：検出部、Ｍ：臥床者。
【図１】
2012066025.tif 000003
【図２】
2012066025.tif 000004
【図３】
2012066025.tif 000005
【図４】
2012066025.tif 000006
【図５】
2012066025.tif 000007
【図６】
2012066025.tif 000008
【図７】
2012066025.tif 000009
【図８】
2012066025.tif 000010
【図９】
2012066025.tif 000011
【図１０】
2012066025.tif 000012
【図１１】
2012066025.tif 000013
【図１２】
2012066025.tif 000014
【図１３】
2012066025.tif 000015
【図１４】
2012066025.tif 000016